(57)【要約】【課題】利便性良好にファームウェアを更新する。【解決手段】ＨＤＤレコーダのＭＰＵ１１は、第２設定部１１３によって録画予約されている番組が有る場合に更新を実行する旨の設定がされている場合には、日時判定部１１６によって送信日時に到達したと判定された場合に、受信部１５を介して更新すべきファームウェアを取得して更新を実行すると共に、第２設定部１１３によって録画予約されている番組が有る場合に更新を実行しない旨の設定がされている場合には、日時判定部１１６によって送信日時に到達したと判定され、且つ、録画予約判定部１１７によって録画予約されている番組が無いと判定された場合に限って、受信部１５を介して更新すべきファームウェアを取得して更新を実行する更新実行部１１８を備えている。【選択図】図２
2009077088.tif 000002
【特許請求の範囲】
【請求項１】
デジタル方式のテレビジョン放送を受信して、受信された映像情報を記録媒体に格納する放送記録装置であって、
テレビジョン放送を受信する受信手段と、
外部からの操作入力を受け付けて、受け付けられた操作入力に基づいて、該放送記録装置のファームウェアを更新するか否かの設定を行う第１設定手段と、
前記第１設定手段によってファームウェアを更新する旨の設定が行われた場合に、前記受信手段を介して受信されたテレビジョン放送に基づき、該放送記録装置の更新すべきファームウェアが送信されるか否かを判定する送信判定手段と、
前記送信判定手段によって更新すべきファームウェアが送信されると判定された場合に、前記受信手段を介して、更新すべきファームウェアが送信される日時情報である送信日時情報を取得する日時取得手段と、
前記第１設定手段によってファームウェアを更新する旨の設定が行われた場合に、外部からの操作入力を受け付けて、受け付けられた操作入力に基づいて、録画予約されている番組が有る場合に更新を実行するか否かを設定する第２設定手段と、
前記第１設定手段によって更新を実行する旨の設定がされている場合に、前記日時取得手段によって取得された送信日時に到達したか否かを判定する日時判定手段と、
前記第２設定手段によって録画予約されている番組が有る場合に更新を実行しない旨の設定がされている場合に、録画予約されている番組が有るか否かを判定する録画予約判定手段と、
前記第２設定手段によって録画予約されている番組が有る場合に更新を実行する旨の設定がされている場合には、前記日時判定手段によって送信日時に到達したと判定された場合に、前記受信手段を介して更新すべきファームウェアを取得して更新を実行すると共に、前記第２設定手段によって録画予約されている番組が有る場合に更新を実行しない旨の設定がされている場合には、前記日時判定手段によって送信日時に到達したと判定され、且つ、前記録画予約判定手段によって録画予約されている番組が無いと判定された場合に限って、前記受信手段を介して更新すべきファームウェアを取得して更新を実行する更新実行手段と、
を備えることを特徴とする放送記録装置。
【請求項２】
前記第２設定手段は、外部からの操作入力を受け付けて、受け付けられた操作入力に基づいて、録画予約されている番組がＰＰＶ（Ｐａｙ  Ｐｅｒ  Ｖｉｅｗ）番組である場合に更新を実行するか否かを設定し、
前記録画予約判定手段は、録画予約されている番組がＰＰＶ番組であるか否かを判定し、
前記更新実行手段は、
前記第２設定手段によってＰＰＶ番組である場合に更新を実行する旨の設定がされている場合には、前記日時判定手段によって送信日時に到達したと判定された場合に、前記受信手段を介して更新すべきファームウェアを取得して更新を実行し、
前記第２設定手段によってＰＰＶ番組である場合に更新を実行しない旨の設定がされている場合には、前記日時判定手段によって送信日時に到達したと判定され、且つ、前記録画予約判定手段によって録画予約されている番組が無いと判定されるか、又は、録画予約されている番組がＰＰＶ番組ではないと判定された場合に限って、前記受信手段を介して更新すべきファームウェアを取得して更新を実行することを特徴とする請求項１に記載の放送記録装置。
【請求項３】
前記送信判定手段は、前記受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて判定することを特徴とする請求項１又は請求項２に記載の放送記録装置。
【請求項４】
前記日時取得手段は、前記送信日時情報として、前記受信手段を介して受信されたテレビジョン放送のＳＤＴＴに含まれる開始日時（ｓｔａｒｔ＿ｔｉｍｅ）情報を取得することを特徴とする請求項１〜請求項３のいずれかに記載の放送記録装置。
【発明の詳細な説明】
【技術分野】
【０００１】
本発明は、デジタル方式のテレビジョン放送を受信して、受信された映像情報を記録媒体に格納する放送記録装置に関する。
【背景技術】
【０００２】
従来、テレビジョン放送を受信して、受信された映像情報を格納するＨＤＤ（Ｈａｒｄ  Ｄｉｓｋ  Ｄｒｉｖｅ）レコーダ等の放送記録装置において、該放送記録装置の動作を制御するファームウェアを、放送波を介して取得して更新する技術が知られている。
【０００３】
ファームウェアを更新する技術としては、例えば、ファームウェア配信サーバにファームウェアを保持しておき、電子機器からの問い合わせ時や新たなファームウェアが追加された時などの所定のタイミングで、ファームウェア配信サーバから電子機器へと、ファームウェア配信サーバが保持しているファームウェアのバージョンを通知し、電子機器は、この通知に基づいて自己が有しているファームウェアよりも新しいバージョンのファームウェアをファームウェア配信サーバが有していることを確認したならば、このファームウェアをファームウェア配信サーバからダウンロードし、インストールするファームウェアアップデートシステムが開示されている（特許文献１参照）。
【０００４】
また、上記ファームウェアアップデートシステムにおいては、電子機器毎に自動アップデートを許可するか否かのユーザ設定を受け付けるようにし、許可設定されている場合にのみファームウェアの自動アップデートを行うこととしているので、個別事情によりファームウェアのアップデートを自動では行うべきではない電子機器が存在する場合に対応することが可能である。
【特許文献１】特開２００３−５９９１号公報
【発明の開示】
【発明が解決しようとする課題】
【０００５】
上記ファームウェアアップデートシステムにおいては、自動アップデートを許可する旨の設定されている場合にのみファームウェアの自動アップデートを行うこととしているが、ＨＤＤレコーダ等の従来の放送記録装置においては、録画予約された番組を確実に録画するために、録画予約がされている番組が有る場合には、ファームウェアの自動アップデートが禁止されることとなっている。すなわち、ファームウェアが更新されることによって、何らかの原因で（例えば、録画予約情報が消去される等の原因で）、録画予約がされている番組が録画されないことを防止する構成となっている。
【０００６】
しかしながら、ユーザは、早期にファームウェアの更新を所望する場合があり、上記従来の放送記録装置では、ファームウェアの更新において利便性が充分ではない場合があった。
【０００７】
本発明は、上記課題に鑑みてなされたものであって、利便性良好にファームウェアを更新することの可能な放送記録装置を提供することを目的としている。
【課題を解決するための手段】
【０００８】
上記目的を達成するために請求項１に記載の放送記録装置は、デジタル方式のテレビジョン放送を受信して、受信された映像情報を記録媒体に格納する放送記録装置であって、テレビジョン放送を受信する受信手段と、外部からの操作入力を受け付けて、受け付けられた操作入力に基づいて、該放送記録装置のファームウェアを更新するか否かの設定を行う第１設定手段と、前記第１設定手段によってファームウェアを更新する旨の設定が行われた場合に、前記受信手段を介して受信されたテレビジョン放送に基づき、該放送記録装置の更新すべきファームウェアが送信されるか否かを判定する送信判定手段と、前記送信判定手段によって更新すべきファームウェアが送信されると判定された場合に、前記受信手段を介して、更新すべきファームウェアが送信される日時情報である送信日時情報を取得する日時取得手段と、前記第１設定手段によってファームウェアを更新する旨の設定が行われた場合に、外部からの操作入力を受け付けて、受け付けられた操作入力に基づいて、録画予約されている番組が有る場合に更新を実行するか否かを設定する第２設定手段と、前記第１設定手段によって更新を実行する旨の設定がされている場合に、前記日時取得手段によって取得された送信日時に到達したか否かを判定する日時判定手段と、前記第２設定手段によって録画予約されている番組が有る場合に更新を実行しない旨の設定がされている場合に、録画予約されている番組が有るか否かを判定する録画予約判定手段と、前記第２設定手段によって録画予約されている番組が有る場合に更新を実行する旨の設定がされている場合には、前記日時判定手段によって送信日時に到達したと判定された場合に、前記受信手段を介して更新すべきファームウェアを取得して更新を実行すると共に、前記第２設定手段によって録画予約されている番組が有る場合に更新を実行しない旨の設定がされている場合には、前記日時判定手段によって送信日時に到達したと判定され、且つ、前記録画予約判定手段によって録画予約されている番組が無いと判定された場合に限って、前記受信手段を介して更新すべきファームウェアを取得して更新を実行する更新実行手段と、を備えることを特徴としている。
【０００９】
請求項２に記載の放送記録装置は、請求項１に記載の放送記録装置であって、前記第２設定手段が、外部からの操作入力を受け付けて、受け付けられた操作入力に基づいて、録画予約されている番組がＰＰＶ（Ｐａｙ  Ｐｅｒ  Ｖｉｅｗ）番組である場合に更新を実行するか否かを設定し、前記録画予約判定手段が、録画予約されている番組がＰＰＶ番組であるか否かを判定し、前記更新実行手段が、前記第２設定手段によってＰＰＶ番組である場合に更新を実行する旨の設定がされている場合には、前記日時判定手段によって送信日時に到達したと判定された場合に、前記受信手段を介して更新すべきファームウェアを取得して更新を実行し、前記第２設定手段によってＰＰＶ番組である場合に更新を実行しない旨の設定がされている場合には、前記日時判定手段によって送信日時に到達したと判定され、且つ、前記録画予約判定手段によって録画予約されている番組が無いと判定されるか、又は、録画予約されている番組がＰＰＶ番組ではないと判定された場合に限って、前記受信手段を介して更新すべきファームウェアを取得して更新を実行することを特徴としている。
【００１０】
請求項３に記載の放送記録装置は、請求項１又は請求項２に記載の放送記録装置であって、前記送信判定手段が、前記受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて判定することを特徴としている。
【００１１】
請求項４に記載の放送記録装置は、請求項１〜請求項３のいずれかに記載の放送記録装置であって、前記日時取得手段が、前記送信日時情報として、前記受信手段を介して受信されたテレビジョン放送のＳＤＴＴに含まれる開始日時（ｓｔａｒｔ＿ｔｉｍｅ）情報を取得することを特徴としている。
【発明の効果】
【００１２】
請求項１に記載の放送記録装置によれば、外部からの操作入力を受け付けられて、受け付けられた操作入力に基づいて、ファームウェアを更新するか否かの設定が行われ、ファームウェアを更新する旨の設定が行われた場合に、受信手段を介して受信されたテレビジョン放送に基づき、更新すべきファームウェアが送信されるか否かが判定される。また、更新すべきファームウェアが送信されると判定された場合に、受信手段を介して、更新すべきファームウェアが送信される日時情報である送信日時情報が取得され、ファームウェアを更新する旨の設定が行われた場合に、外部からの操作入力が受け付けられて、受け付けられた操作入力に基づいて、録画予約されている番組が有る場合に更新を実行するか否かが設定される。そして、更新を実行する旨の設定がされている場合に、取得された送信日時に到達したか否かが判定され、録画予約されている番組が有る場合に更新を実行しない旨の設定がされている場合に、録画予約されている番組が有るか否かが判定される。更に、録画予約されている番組が有る場合に更新を実行する旨の設定がされている場合には、送信日時に到達したと判定された場合に、受信手段を介して更新すべきファームウェアが取得されて更新が実行されると共に、録画予約されている番組が有る場合に更新を実行しない旨の設定がされている場合には、送信日時に到達したと判定され、且つ、録画予約されている番組が無いと判定された場合に限って、受信手段を介して更新すべきファームウェアが取得されて更新が実行されるため、利便性良好にファームウェアを更新することができる。
【００１３】
すなわち、録画予約されている番組が有る場合に更新を実行する旨の設定がされている場合には、送信日時に到達したと判定された場合に、受信手段を介して更新すべきファームウェアが取得されて更新が実行されると共に、録画予約されている番組が有る場合に更新を実行しない旨の設定がされている場合には、送信日時に到達したと判定され、且つ、録画予約されている番組が無いと判定された場合に限って、受信手段を介して更新すべきファームウェアが取得されて更新が実行されるため、ユーザが録画予約されている番組が有る場合であっても更新の実行を所望する場合には、録画予約されている番組が有る場合に更新を実行する旨の設定をすることによって更新を実行させることができるので、利便性良好にファームウェアを更新することができるのである。
【００１４】
請求項２に記載の放送記録装置によれば、外部からの操作入力が受け付けられて、受け付けられた操作入力に基づいて、録画予約されている番組がＰＰＶ（Ｐａｙ  Ｐｅｒ  Ｖｉｅｗ）番組である場合に更新を実行するか否かが設定され、録画予約されている番組がＰＰＶ番組であるか否かが判定される。そして、ＰＰＶ番組である場合に更新を実行する旨の設定がされている場合には、送信日時に到達したと判定された場合に、受信手段を介して更新すべきファームウェアが取得されて更新が実行され、ＰＰＶ番組である場合に更新を実行しない旨の設定がされている場合には、送信日時に到達したと判定され、且つ、録画予約されている番組が無いと判定されるか、又は、録画予約されている番組がＰＰＶ番組ではないと判定された場合に限って、受信手段を介して更新すべきファームウェアが取得されて更新が実行されるため、更に利便性良好にファームウェアを更新することができる。
【００１５】
すなわち、ＰＰＶ番組である場合に更新を実行する旨の設定がされている場合には、送信日時に到達したと判定された場合に、受信手段を介して更新すべきファームウェアが取得されて更新が実行され、ＰＰＶ番組である場合に更新を実行しない旨の設定がされている場合には、送信日時に到達したと判定され、且つ、録画予約されている番組が無いと判定されるか、又は、録画予約されている番組がＰＰＶ番組ではないと判定された場合に限って、受信手段を介して更新すべきファームウェアが取得されて更新が実行されるため、ユーザが、録画予約されている番組がＰＰＶ番組である場合であっても更新の実行を所望する場合には、ＰＰＶ番組である場合に更新を実行する旨の設定をすることによって更新を実行させることができ、録画予約されている番組がＰＰＶ番組である場合には更新の実行を所望しない場合には、ＰＰＶ番組である場合に更新を実行しない旨の設定をすることによって更新を実行させないことができるので、更に利便性良好にファームウェアを更新することができるのである。
【００１６】
請求項３に記載の放送記録装置によれば、受信手段を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ情報及び機器モデルＩＤ情報に基づいて、更新すべきファームウェアが送信されるか否かが判定されるため、更新すべきファームウェアが送信されるか否かを簡素な構成で正確に判定することができる。
【００１７】
請求項４に記載の放送記録装置によれば、送信日時情報として、受信手段を介して受信されたテレビジョン放送のＳＤＴＴに含まれる開始日時（ｓｔａｒｔ＿ｔｉｍｅ）情報が取得されるため、簡素な構成で正確な送信日時情報（＝更新すべきファームウェアが送信される日時情報）を取得することができる。
【発明を実施するための最良の形態】
【００１８】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１９】
ＨＤＤレコーダ１は、リモコン３を介してユーザからの操作入力を受け付けて、受け付けた操作入力に基づいて、デジタル方式のテレビジョン放送を受信し、受信した映像情報、音声情報を含む番組情報をＨＤＤ１９に格納するものである。また、ＨＤＤレコーダ１は、リモコン３を介してユーザからの操作入力を受け付けて、受け付けた操作入力に基づいて、ＨＤＤ１９に格納された番組情報を読み出して再生し、出力装置２に対して映像及び音声を出力するものである。
【００２０】
出力装置２は、ディスプレイ２１及びスピーカ２２を備え、ＨＤＤレコーダ１から入力された音声情報及び映像情報を出力するものである。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２１】
リモコン３（第１設定手段の一部、第２設定手段の一部に相当する）は、ユーザからの操作入力を受け付けて、受け付けられた操作入力に対応する赤外線信号を生成して、ＨＤＤレコーダ１に対して出力するものである。
【００２２】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２３】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等からなり、ＭＰＵ１１を動作させる制御プログラム及びファームウェア等を格納するものである。
【００２４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、デジタル方式のテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２５】
アンテナ部１５１は、デジタル方式のテレビジョン放送波を受信するものである。チューナ部１５２は、アンテナ部１５１で受信されたデジタル方式のテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力装置２のスピーカ２２に対して出力するものである。
【００２７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号を出力装置２のディスプレイ２１に対して出力するものである。
【００２９】
ＨＤＤ（Ｈａｒｄ  Ｄｉｓｋ  Ｄｒｉｖｅ）１９は、ＭＰＵ１１からの指示に従って、受信部１５を介して受信された映像情報、音声情報等の種々の情報を格納すると共に、ＭＰＵ１１からの指示に従って、格納された映像情報、音声情報等の種々の情報を出力するものである。
【００３０】
次に、ＨＤＤレコーダ１が放送を受信する場合の動作について説明する。まず、送信されてきたデジタル放送波がアンテナ部１５１で受信される。操作部１４（又は、リモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３１】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３２】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３３】
図２は、本発明に係るＨＤＤレコーダ１における主要部の構成の一例を示すブロック図である。ＭＰＵ１１は、機能的に、録画予約設定部１１１、第１設定部１１２、第２設定部１１３、送信判定部１１４、日時取得部１１５、日時判定部１１６、録画予約判定部１１７、及び、更新実行部１１８を備え、ＲＡＭ１２は、機能的に、録画予約記憶部１２１を備えている。
【００３４】
ここでは、ＭＰＵ１１が、図１に示すＲＯＭ１３等に予め格納された制御プログラムを読み出して実行することにより、録画予約設定部１１１、第１設定部１１２、第２設定部１１３、送信判定部１１４、日時取得部１１５、日時判定部１１６、録画予約判定部１１７、更新実行部１１８等の機能部として機能すると共に、ＲＡＭ１２を、録画予約記憶部１２１等の機能部として機能させるものである。
【００３５】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３６】
録画予約記憶部１２１は、ＰＰＶ番組であるか否かを示す情報であるＰＰＶ番組情報、録画開始日時情報、録画終了日時情報、及び、チャンネル番号情報等の録画予約情報を格納するものである。録画予約記憶部１２１に格納される録画予約情報は、録画予約設定部１１１によって記録され（＝書き込まれ）、録画予約判定部１１７によって読み出されるものである。
【００３７】
録画予約設定部１１１は、リモコン３を介して、ユーザからの操作入力を受け付けて、受け付けられた操作入力に基づいて、録画予約情報を生成し、生成された録画予約情報を録画予約記憶部１２１に記録する（＝書き込む）ものである。
【００３８】
第１設定部１１２（第１設定手段の一部に相当する）は、リモコン３を介して、ユーザからの操作入力を受け付けて、受け付けられた操作入力に基づいて、ＨＤＤレコーダ１のファームウェアを更新するか否かの設定を行うものである。
【００３９】
第２設定部１１３（第２設定手段の一部に相当する）は、第１設定部１１２によってファームウェアを更新する旨の設定が行われた場合に、リモコン３を介して、ユーザからの操作入力を受け付けて、受け付けられた操作入力に基づいて、録画予約されている番組が有る場合に更新を実行するか否かを設定するものである。
【００４０】
また、第２設定部１１３は、リモコン３を介して、ユーザからの操作入力を受け付けて、受け付けられた操作入力に基づいて、録画予約されている番組が、番組毎に課金される番組（いわゆる、ＰＰＶ（Ｐａｙ  Ｐｅｒ  Ｖｉｅｗ）番組）である場合（＝ＰＰＶ番組が録画予約されている場合）に更新を実行するか否かを設定するものである。
【００４１】
送信判定部１１４（送信判定手段に相当する）は、第１設定部１１２によってファームウェアを更新する旨の設定が行われた場合に、受信部１５を介して受信されたテレビジョン放送に基づき、ＨＤＤレコーダ１の更新すべきファームウェアが送信されるか否かを判定するものである。
【００４２】
具体的には、送信判定部１１４は、受信部１５を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる製造メーカＩＤ（ｍａｋｅｒ＿ｉｄ）情報及び機器モデルＩＤ（ｍｏｄｅｌ＿ｉｄ）情報に基づいて、ＨＤＤレコーダ１の更新すべきファームウェアが送信されるか否かを判定するものである。
【００４３】
すなわち、送信判定部１１４は、受信部１５を介して受信されたテレビジョン放送のＳＤＴＴに含まれる製造メーカＩＤ情報及び機器モデルＩＤ情報が、それぞれ、ＨＤＤレコーダ１の製造メーカＩＤ情報及び機器モデルＩＤ情報と一致する場合に、ＨＤＤレコーダ１の更新すべきファームウェアが送信されると判定するものである。
【００４４】
日時取得部１１５（日時取得手段に相当する）は、送信判定部１１４によって更新すべきファームウェアが送信されると判定された場合に、受信部１５を介して、更新すべきファームウェアが送信される日時情報である送信日時情報を取得するものである。
【００４５】
具体的には、日時取得部１１５は、送信日時情報として、受信部１５を介して受信されたテレビジョン放送のＳＤＴＴ（Ｓｏｆｔｗａｒｅ  Ｄｏｗｎｌｏａｄ  Ｔｒｉｇｇｅｒ  Ｔａｂｌｅ）に含まれる開始日時（ｓｔａｒｔ＿ｔｉｍｅ）情報を取得するものである。
【００４６】
日時判定部１１６（日時判定手段に相当する）は、第１設定部１１２によって更新を実行する旨の設定がされている場合に、日時取得部１１５によって取得された送信日時に到達したか否かを判定するものである。
【００４７】
録画予約判定部１１７（録画予約判定手段に相当する）は、第２設定部１１３によって録画予約されている番組が有る場合に更新を実行しない旨の設定がされている場合に、録画予約記憶部１２１に格納された録画予約情報に基づいて、録画予約されている番組が有るか否かを判定するものである。
【００４８】
また、録画予約判定部１１７は、第２設定部１１３によって録画予約されている番組が有る場合に更新を実行しない旨の設定がされている場合に、録画予約記憶部１２１に格納された録画予約情報に基づいて、録画予約されている番組がＰＰＶ番組であるか否か（＝ＰＰＶ番組が録画予約されているか否か）を判定するものである。
【００４９】
更新実行部１１８（更新実行手段に相当する）は、第２設定部１１３によって録画予約されている番組が有る場合に更新を実行する旨の設定がされている場合には、日時判定部１１６によって送信日時に到達したと判定された場合に、受信部１５を介して更新すべきファームウェアを取得して更新を実行するものである。また、更新実行部１１８は、第２設定部１１３によって録画予約されている番組が有る場合に更新を実行しない旨の設定がされている場合には、日時判定部１１６によって送信日時に到達したと判定され、且つ、録画予約判定部１１７によって録画予約されている番組が無いと判定された場合に限って、受信部１５を介して更新すべきファームウェアを取得して更新を実行するものである。
【００５０】
更に、更新実行部１１８は、第２設定部１１３によってＰＰＶ番組である場合に更新を実行する旨の設定がされている場合には、日時判定部１１６によって送信日時に到達したと判定された場合に、受信部１５を介して更新すべきファームウェアを取得して更新を実行するものである。加えて、更新実行部１１８は、第２設定部１１３によってＰＰＶ番組である場合に更新を実行しない旨の設定がされている場合には、日時判定部１１６によって送信日時に到達したと判定され、且つ、録画予約判定部１１７によって録画予約されている番組が無いと判定されるか、又は、録画予約されている番組がＰＰＶ番組ではないと判定された場合に限って、受信部１５を介して更新すべきファームウェアを取得して更新を実行するものである。
【００５１】
すなわち、更新実行部１１８は、下記の処理を行うものである。
（ＣＡＳＥ１）
第１設定部１１２によって更新を実行しない旨の設定がされている場合には、一切更新を実行しない。
（ＣＡＳＥ２）
第１設定部１１２によって更新を実行する旨の設定がされ、第２設定部１１３によって録画予約されている番組が有る場合に更新を実行しない旨の設定がされている場合には、日時判定部１１６によって送信日時に到達したと判定され、且つ、録画予約判定部１１７によって録画予約されている番組が無いと判定された場合に限って、受信部１５を介して更新すべきファームウェアを取得して更新を実行する。
（ＣＡＳＥ３）
第１設定部１１２によって更新を実行する旨の設定がされ、第２設定部１１３によってＰＰＶ番組である場合に更新を実行しない旨の設定がされている場合には、日時判定部１１６によって送信日時に到達したと判定され、且つ、録画予約判定部１１７によって録画予約されている番組が無いと判定されるか、又は、録画予約されている番組がＰＰＶ番組ではないと判定された場合に限って、受信部１５を介して更新すべきファームウェアを取取得して更新を実行する。
（ＣＡＳＥ４）
第１設定部１１２によって更新を実行する旨の設定がされ、第２設定部１１３によってＰＰＶ番組である場合に更新を実行する旨の設定がされている場合には、日時判定部１１６によって送信日時に到達したと判定された場合に、受信部１５を介して更新すべきファームウェアを取得して更新を実行する。
【００５２】
図３は、第１設定部１１２及び第２設定部１１３によってディスプレイ２１に表示される更新条件設定画面の一例を示す画面図である。更新条件設定画面４００には、画面略中央部に、更新条件表示部４０１が表示され、画面下部に、設定ボタン４０３及びキャンセルボタン４０４が表示されている。
【００５３】
更新条件表示部４０１は、ファームウェアを更新する条件を選択可能に表示するものであって、上側から順に、第１条件表示部４０１ａ、第２条件表示部４０１ｂ、第３条件表示部４０１ｃ及び第４条件表示部４０１ｄが表示されている。第１条件表示部４０１ａは、更新しない旨の設定を行う場合（＝上記（ＣＡＳＥ１）の処理を実行する場合）に選択されるものである。第２条件表示部４０１ｂは、録画予約されている番組が有る場合に更新を実行しない旨の設定を行う場合（＝上記（ＣＡＳＥ２）の処理を実行する場合）に選択されるものである。
【００５４】
第３条件表示部４０１ｃは、録画予約されている番組がＰＰＶ番組である場合に更新を実行しない旨の設定を行う場合（＝上記（ＣＡＳＥ３）の処理を実行する場合）に選択されるものである。第４条件表示部４０１ｄは、録画予約に関係なく更新を実行する旨の設定を行う場合（＝上記（ＣＡＳＥ４）の処理を実行する場合）に選択されるものである。
【００５５】
第３条件表示部４０１ｃには、選択状態であることを示す選択状態表示マーク４０２が表示されている。選択状態表示マーク４０２は、選択状態であることを示すものであって、例えば、リモコン３に配設された上方向キーが押下された場合に、上側（ここでは、第２条件表示部４０１ｂ）に移動され、リモコン３に配設された下方向キーが押下された場合に、下側（ここでは、第４条件表示部４０１ｄ）に移動される。すなわち、ユーザは、リモコン３に配設された上方向キー又は下方向キーを押下することによって、第１条件表示部４０１ａ、第２条件表示部４０１ｂ、第３条件表示部４０１ｃ及び第４条件表示部４０１ｄの中から所望する条件を選択することができる。
【００５６】
設定ボタン４０３は、選択状態とされている（＝選択状態表示マーク４０２が表示されている）条件を設定する場合に押下されるボタンである。キャンセルボタン４０４は、選択状態をキャンセルする場合に押下されるボタンである。ここで、「押下される」とは、例えば、リモコン３に配設された上方向キー又は下方向キーによって、選択状態とされ、リモコン３に配設された決定キー（又はエンターキー）が押下されることを意味している。
【００５７】
図４、図５は、ＨＤＤレコーダ１（主にＭＰＵ１１）の動作の一例を示すフローチャートである。なお、ここでは、便宜上、予め録画予約設定部１１１によって録画予約情報が録画予約記憶部１２１に格納され、第１設定部１１２及び第２設定部１１３によってファームウェアを更新する条件が設定されている場合について説明する。
【００５８】
まず、送信判定部１１４によって、ファームウェアを更新する旨の設定が行われているか否かの判定が行われる（Ｓ１０１）。ファームウェアを更新する旨の設定が行われていない（＝図３の第１条件表示部４０１ａが選択されて設定されている）と判定された場合（Ｓ１０１でＮＯ）には、処理が待機状態とされる。ファームウェアを更新する旨の設定が行われている（＝図３の第２条件表示部４０１ｂ、第３条件表示部４０１ｃ又は第４条件表示部４０１ｄが選択されて設定されている）と判定された場合（Ｓ１０１でＹＥＳ）には、送信判定部１１４によって、ファームウェアが送信されるか否かの判定が行われる（Ｓ１０３）。ファームウェアが送信されないと判定された場合（Ｓ１０３でＮＯ）には、処理がステップＳ１０１に戻され、ステップＳ１０１以降の処理が繰り返し実行される。
【００５９】
ファームウェアが送信されると判定された場合（Ｓ１０３でＹＥＳ）には、送信判定部１１４によって、受信部１５を介してＳＤＴＴに含まれる製造メーカＩＤ情報及び機器モデルＩＤが取得される（Ｓ１０５）。そして、送信判定部１１４によって、ステップＳ１０５において取得された製造メーカＩＤ情報及び機器モデルＩＤが、ＨＤＤレコーダ１の製造メーカＩＤ情報及び機器モデルＩＤ情報と一致するか否かの判定が行われる（Ｓ１０７）。一致しないと判定された場合（Ｓ１０７でＮＯ）には、処理がステップＳ１０１に戻され、ステップＳ１０１以降の処理が繰り返し実行される。
【００６０】
一致すると判定された場合（Ｓ１０７でＮＯ）には、日時取得部１１５によって、受信部１５を介してＳＤＴＴに含まれる開始日時情報が取得される（Ｓ１０９）。そして、日時判定部１１６によって、ステップＳ１０９において取得された開始日時（＝送信日時）に到達したか否かの判定が行われる（Ｓ１１１）。送信日時に到達していないと判定された場合（Ｓ１１１でＮＯ）には、処理が待機状態とされる。送信日時に到達したと判定された場合（Ｓ１１１でＹＥＳ）には、図５に示すように、更新実行部１１８によって、録画予約されている番組が有る場合に更新を実行しない旨の設定がされているか否かの判定が行われる（Ｓ１１３）。録画予約されている番組が有る場合に更新を実行しない旨の設定がされていない（＝図３の第３条件表示部４０１ｃ又は第４条件表示部４０１ｄが選択されて設定されている）と判定された場合（Ｓ１１３でＮＯ）には、処理がステップＳ１１７に進められる。
【００６１】
録画予約されている番組が有る場合に更新を実行しない旨の設定がされている（＝図３の第２条件表示部４０１ｂが選択されて設定されている）と判定された場合（Ｓ１１３でＹＥＳ）には、録画予約判定部１１７によって、録画予約されている番組が有るか否かの判定が行われる（Ｓ１１５）。録画予約されている番組が有ると判定された場合（Ｓ１１５でＹＥＳ）には、処理が図４に示すステップＳ１０１に戻され、ステップＳ１０１以降の処理が繰り返し実行される。録画予約されている番組が無いと判定された場合（Ｓ１１５でＮＯ）には、処理がステップＳ１２１に進められる。
【００６２】
ステップＳ１１３でＮＯの場合（＝図３の第３条件表示部４０１ｃ又は第４条件表示部４０１ｄが選択されて設定されている場合）には、更新実行部１１８によって、ＰＰＶ番組の録画予約がされている場合には更新を実行しない旨の設定がされているか否かの判定が行われる（Ｓ１１７）。ＰＰＶ番組の録画予約がされている場合には更新を実行しない旨の設定がされていない（＝図３の第４条件表示部４０１ｄが選択されて設定されている）と判定された場合（Ｓ１１７でＮＯ）には、処理がステップＳ１２１に進められる。
【００６３】
ＰＰＶ番組の録画予約がされている場合には更新を実行しない旨の設定がされている（＝図３の第３条件表示部４０１ｃが選択されて設定されている）と判定された場合（Ｓ１１７でＹＥＳ）には、録画予約判定部１１７によって、ＰＰＶ番組が録画予約されているか否かの判定が行われる（Ｓ１１９）。ＰＰＶ番組が録画予約されていると判定された場合（Ｓ１１９でＹＥＳ）には、処理が図４に示すステップＳ１０１に戻され、ステップＳ１０１以降の処理が繰り返し実行される。ＰＰＶ番組が録画予約されていないと判定された場合（Ｓ１１９でＮＯ）には、処理がステップＳ１２１に進められる。
【００６４】
ステップＳ１１５でＮＯの場合、ステップＳ１１７でＮＯの場合、又は、ステップＳ１１９でＮＯの場合には、更新実行部１１８によって、受信部１５を介して更新すべきファームウェアが取得（＝ダウンロード）され（Ｓ１２１）、更新が実行されて（Ｓ１２３）、処理が終了される。
【００６５】
このようにして、リモコン３を介してユーザからの操作入力を受け付けられて、受け付けられた操作入力に基づいて、ファームウェアを更新するか否かの設定が行われ、ファームウェアを更新する旨の設定が行われた場合に、受信部１５を介して受信されたテレビジョン放送に基づき、更新すべきファームウェアが送信されるか否かが判定される。また、更新すべきファームウェアが送信されると判定された場合に、受信部１５を介して、更新すべきファームウェアが送信される日時情報である送信日時情報が取得され、ファームウェアを更新する旨の設定が行われた場合に、リモコン３を介してユーザからの操作入力が受け付けられて、受け付けられた操作入力に基づいて、録画予約されている番組が有る場合に更新を実行するか否かが設定される。そして、更新を実行する旨の設定がされている場合に、取得された送信日時に到達したか否かが判定され、録画予約されている番組が有る場合に更新を実行しない旨の設定がされている場合に、録画予約されている番組が有るか否かが判定される。更に、録画予約されている番組が有る場合に更新を実行する旨の設定がされている場合（＝図３の第４条件表示部４０１ｄが選択されて設定されている場合）には、送信日時に到達したと判定された場合に、受信部１５を介して更新すべきファームウェアが取得されて更新が実行されると共に、録画予約されている番組が有る場合に更新を実行しない旨の設定がされている場合（＝図３の第２条件表示部４０１ｂが選択されて設定されている場合）には、送信日時に到達したと判定され、且つ、録画予約されている番組が無いと判定された場合に限って、受信部１５を介して更新すべきファームウェアが取得されて更新が実行されるため、利便性良好にファームウェアを更新することができる。
【００６６】
すなわち、録画予約されている番組が有る場合に更新を実行する旨の設定がされている場合（＝図３の第４条件表示部４０１ｄが選択されて設定されている場合）には、送信日時に到達したと判定された場合に、受信部１５を介して更新すべきファームウェアが取得されて更新が実行されると共に、録画予約されている番組が有る場合に更新を実行しない旨の設定がされている場合（＝図３の第２条件表示部４０１ｂが選択されて設定されている場合）には、送信日時に到達したと判定され、且つ、録画予約されている番組が無いと判定された場合に限って、受信部１５を介して更新すべきファームウェアが取得されて更新が実行されるため、ユーザが録画予約されている番組が有る場合であっても更新の実行を所望する場合には、録画予約されている番組が有る場合に更新を実行する旨の設定をする（＝図３の第４条件表示部４０１ｄを選択して設定する）ことによって更新を実行させることができるので、利便性良好にファームウェアを更新することができるのである。
【００６７】
また、リモコン３を介してユーザからの操作入力が受け付けられて、受け付けられた操作入力に基づいて、録画予約されている番組がＰＰＶ番組である場合に更新を実行するか否かが設定され、録画予約されている番組がＰＰＶ番組であるか否かが判定される。そして、ＰＰＶ番組である場合に更新を実行する旨の設定がされている場合（＝図３の第４条件表示部４０１ｄが選択されて設定されている場合）には、送信日時に到達したと判定された場合に、受信部１５を介して更新すべきファームウェアが取得されて更新が実行され、ＰＰＶ番組である場合に更新を実行しない旨の設定がされている場合（＝図３の第３条件表示部４０１ｃが選択されて設定されている場合）には、送信日時に到達したと判定され、且つ、録画予約されている番組が無いと判定されるか、又は、録画予約されている番組がＰＰＶ番組ではないと判定された場合に限って、受信部１５を介して更新すべきファームウェアが取得されて更新が実行されるため、更に利便性良好にファームウェアを更新することができる。
【００６８】
すなわち、ＰＰＶ番組である場合に更新を実行する旨の設定がされている場合（＝図３の第４条件表示部４０１ｄが選択されて設定されている場合）には、送信日時に到達したと判定された場合に、受信部１５を介して更新すべきファームウェアが取得されて更新が実行され、ＰＰＶ番組である場合に更新を実行しない旨の設定がされている場合（＝図３の第３条件表示部４０１ｃが選択されて設定されている場合）には、送信日時に到達したと判定され、且つ、録画予約されている番組が無いと判定されるか、又は、録画予約されている番組がＰＰＶ番組ではないと判定された場合に限って、受信部１５を介して更新すべきファームウェアが取得されて更新が実行されるため、ユーザが、録画予約されている番組がＰＰＶ番組である場合であっても更新の実行を所望する場合には、ＰＰＶ番組である場合に更新を実行する旨の設定をする（＝図３の第４条件表示部４０１ｄを選択して設定する）ことによって更新を実行させることができ、録画予約されている番組がＰＰＶ番組である場合には更新の実行を所望しない場合には、ＰＰＶ番組である場合に更新を実行しない旨の設定をする（＝図３の第３条件表示部４０１ｃを選択して設定する）ことによって更新を実行させないことができるので、更に利便性良好にファームウェアを更新することができるのである。
【００６９】
更に、受信部１５を介して受信されたテレビジョン放送のＳＤＴＴに含まれる製造メーカＩＤ情報及び機器モデルＩＤ情報に基づいて、更新すべきファームウェアが送信されるか否かが判定されるため、更新すべきファームウェアが送信されるか否かを簡素な構成で正確に判定することができる。
【００７０】
加えて、送信日時情報として、受信部１５を介して受信されたテレビジョン放送のＳＤＴＴに含まれる開始日時情報が取得されるため、簡素な構成で正確な送信日時情報（＝更新すべきファームウェアが送信される日時情報）を取得することができる。
【００７１】
なお、本発明は、以下の形態にも適用可能である。
（Ａ）本実施形態では、放送記録装置が、デジタル放送を受信してＨＤＤ１９に格納可能に構成されたＨＤＤレコーダ１である場合について説明したが、放送記録装置が、デジタル放送を受信して、受信された映像情報を格納する装置であればよい。例えば、放送記録装置が、ＤＶＤレコーダ、ビデオテープレコーダ等である形態でもよい。
【００７２】
（Ｂ）本実施形態では、ＭＰＵ１１が録画予約設定部１１１、第１設定部１１２、第２設定部１１３、送信判定部１１４、日時取得部１１５、日時判定部１１６、録画予約判定部１１７、更新実行部１１８等の機能部を備える場合について説明したが、録画予約設定部１１１、第１設定部１１２、第２設定部１１３、送信判定部１１４、日時取得部１１５、日時判定部１１６、録画予約判定部１１７、及び、更新実行部１１８の内、少なくとも１の機能部が回路等のハードウェアによって実現されている形態でもよい。
【００７３】
（Ｃ）本実施形態では、第２設定部１１３が、ＰＰＶ番組が録画予約されている場合に更新を実行するか否かを設定する場合について説明したが、第２設定部１１３が、ＰＰＶ番組に換えて（又は、加えて）、１日単位で課金するＰＰＤ（Ｐａｙ  Ｐｅｒ  Ｄａｙ）番組が録画予約されている場合に更新を実行するか否かを設定する形態でもよいし、一連の番組群をセットにして課金するＰＰＳ（Ｐａｙ  Ｐｅｒ  Ｓｅｒｉｅｓ）番組が録画予約されている場合に更新を実行するか否かを設定する形態でもよい。
【００７４】
（Ｄ）本実施形態では、第１設定部１１２及び第２設定部１１３が、４個の更新条件（図３の第１条件表示部４０１ａ、第２条件表示部４０１ｂ、第３条件表示部４０１ｃ及び第４条件表示部４０１ｄに対応する更新条件）から１の更新条件を設定する場合について説明したが、第１設定部１１２及び第２設定部１１３が、３個の更新条件から１の更新条件を設定する形態でもよい。例えば、第１設定部１１２及び第２設定部１１３が、図３の第１条件表示部４０１ａ、第２条件表示部４０１ｂ、及び、第３条件表示部４０１ｃに対応する更新条件から１の更新条件を設定する形態でもよいし、第１設定部１１２及び第２設定部１１３が、図３の第１条件表示部４０１ａ、第２条件表示部４０１ｂ、及び、第４条件表示部４０１ｄに対応する更新条件から１の更新条件を設定する形態でもよい。
【図面の簡単な説明】
【００７５】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、第１設定部及び第２設定部によってディスプレイに表示される更新条件選択画面の一例を示す画面図である。
【図４】は、ＨＤＤレコーダ（主にＭＰＵ）の動作の一例を示すフローチャート（前半部）である。
【図５】は、ＨＤＤレコーダ（主にＭＰＵ）の動作の一例を示すフローチャート（後半部）である。
【符号の説明】
【００７６】
１    ＨＤＤレコーダ（放送記録装置）
１１    ＭＰＵ
１１１    録画予約設定部
１１２    第１設定部（第１設定手段の一部）
１１３    第２設定部（第２設定手段の一部）
１１４    送信判定部（送信判定手段）
１１５    日時取得部（日時取得手段）
１１６    日時判定部（日時判定手段）
１１７    録画予約判定部（録画予約判定手段）
１１８    更新実行部（更新実行手段）
１２    ＲＡＭ
１２１    録画予約記憶部
１５    受信部（受信手段）
１９    ＨＤＤ
２    出力装置
２１    ディスプレイ
３    リモコン（第１設定手段の一部、第２設定手段の一部）
【図１】
2009077088.tif 000003
【図２】
2009077088.tif 000004
【図３】
2009077088.tif 000005
【図４】
2009077088.tif 000006
【図５】
2009077088.tif 000007